(57)【要約】【課題】表示画面の大型化を抑制し、視認性を良好としたバーグラフ表示を行うことができる車両用表示装置及び産業車両を提供する。【解決手段】表示装置３０は、表示画面Ｄに８つのバーグラフ表示用セグメントＳを配列させたバーグラフ表示部４０を備えている。そして、バーグラフ表示用セグメントＳの点灯表示個数を変化させることでチューニング項目の設定レベルをバーグラフ表示部４０でバーグラフＢにより表示する。加えて、設定レベルを示す数字Ｈを、バーグラフＢを形成するバーグラフ表示用セグメントＳに重ねて表示する。【選択図】      図４
2006281991.tif 000002
【特許請求の範囲】
【請求項１】
車両に関する各種情報が数値化されて表示画面にバーグラフ表示され、そのバーグラフを読み取るための読取値が前記表示画面に併記される車両用表示装置において、
前記表示画面には、情報毎にバーグラフを表示するバーグラフ表示領域を設け、該バーグラフ表示領域は複数のバーグラフ表示用セグメントを配列して構成し、
前記バーグラフ表示領域に表示されるバーグラフの読取値を該バーグラフ表示領域に配列された前記バーグラフ表示用セグメントに重ねて表示したことを特徴とする車両用表示装置。
【請求項２】
前記表示画面には、一画面内に複数のバーグラフ表示領域が設けられていることを特徴とする請求項１に記載の車両用表示装置。
【請求項３】
前記バーグラフ表示領域には、前記バーグラフ表示用セグメントが予め定めたグラフ形成表示態様になることでバーグラフ表示がなされ、
前記読取値は、前記グラフ形成表示態様とされたバーグラフ表示用セグメントのうち、前記バーグラフ表示の伸長方向先頭に位置するバーグラフ表示用セグメントに常に表示されていることを特徴とする請求項１又は請求項２に記載の車両用表示装置。
【請求項４】
前記バーグラフ表示される情報は車両の作動態様の調整レベルを示す情報であり、前記読取値は調整レベルを示す数値であることを特徴とする請求項１〜請求項３のうちいずれか一項に記載の車両用表示装置。
【請求項５】
請求項１〜請求項４のうちいずれか一項に記載に車両用表示装置を搭載した産業車両。
【発明の詳細な説明】
【技術分野】
【０００１】
本発明は、車両に関する各種情報が数値化されて表示画面にバーグラフ表示され、そのバーグラフを読み取るための読取値が前記表示画面に併記される車両用表示装置及び該表示装置を備えた産業車両に関する。
【背景技術】
【０００２】
例えば、フォークリフトのような産業車両の運転室には表示装置が設けられている。この表示装置の表示画面では、動力装置（エンジン）の回転数といった各種情報がバーグラフによって表示されるようになっている。すなわち、表示画面では、前記回転数の変化に追従してバーグラフが伸び縮みし、そのバーグラフの大きさから前記回転数を表示するようになっている（例えば、特許文献１参照）。この表示画面において、バーグラフの上側には、バーグラフの伸縮方向に沿って目盛りが表示されている。そして、作業者は目盛りを参照してバーグラフの示す数値、すなわち、特許文献１の場合には動力装置の回転数を読み取るようになっている。
【特許文献１】特開平１０−９００１０号公報
【発明の開示】
【発明が解決しようとする課題】
【０００３】
ところで、特許文献１に記載の表示装置は、バーグラフの上側に該バーグラフの示す数値を読み取るための目盛りが表示された構成となっており、表示画面にはバーグラフの表示領域と目盛りの表示領域（目盛り）を別々に設けなければならない。このため、一画面内に複数の情報をバーグラフ表示する場合には、特許文献１のようにバーグラフの表示領域毎に目盛りの表示領域を設けると、表示画面が大きくなり、その結果として表示装置の大型化を招いてしまう。そこで、バーグラフの表示領域を複数設ける場合には、バーグラフの表示領域毎に１つずつ目盛りの表示領域を設けるのではなく、目盛りの表示領域を例えば１つだけ設け、複数のバーグラフで共通化することが考えられる。しかしながら、この場合には、バーグラフに対して目盛りが離れた位置に表示されることになるので、バーグラフの読み間違いなどが頻発し、表示装置の視認性の低下に繋がる。
【０００４】
本発明は、このような従来の技術に存在する問題点に着目してなされたものであり、その目的は、表示画面の大型化を抑制し、視認性を良好としたバーグラフ表示を行うことができる車両用表示装置及び産業車両を提供することにある。
【課題を解決するための手段】
【０００５】
本発明の車両用表示装置は、車両に関する各種情報が数値化されて表示画面にバーグラフ表示され、そのバーグラフを読み取るための読取値が前記表示画面に併記される車両用表示装置において、前記表示画面には、情報毎にバーグラフを表示するバーグラフ表示領域を設け、該バーグラフ表示領域は複数のバーグラフ表示用セグメントを配列して構成し、前記バーグラフ表示領域に表示されるバーグラフの読取値を該バーグラフ表示領域に配列された前記バーグラフ表示用セグメントに重ねて表示した。
【０００６】
これによれば、バーグラフの読取値がバーグラフ表示領域を構成するバーグラフ表示用セグメントに重ねて表示されるので、バーグラフ表示領域とは別に読取値を表示する表示領域を表示画面内に設ける必要がない。このため、表示画面には、バーグラフ表示領域のみを設ければ良く、表示画面の大型化を抑制し得る。また、バーグラフの読取値は、バーグラフ表示領域に表示されたバーグラフに対応し、そのバーグラフ表示と該バーグラフ表示の読取値とが一対一の関係で表示される。このため、視認性を良好としたバーグラフ表示を行うことができる。
【０００７】
また、前記表示画面には、一画面内に複数のバーグラフ表示領域が設けられていても良い。これによれば、複数のバーグラフ表示領域を設ける場合においても、読取値の表示領域を別に設ける場合に比して表示画面の大型化を抑制し得る。また、表示画面の大きさを一定とした場合には、読取値の表示領域を別に設ける場合に比して一画面内に多数のバーグラフ表示領域を設けることが可能となる。すなわち、一画面内に多数の情報を表示させることが可能となる。
【０００８】
また、前記バーグラフ表示領域には、前記バーグラフ表示用セグメントが予め定めたグラフ形成表示態様になることでバーグラフ表示がなされ、前記読取値は、前記グラフ形成表示態様とされたバーグラフ表示用セグメントのうち、前記バーグラフ表示の伸長方向先頭に位置するバーグラフ表示用セグメントに常に表示されていても良い。
【０００９】
これによれば、読取値は、常にバーグラフ表示の先頭に位置するバーグラフ表示用セグメントに表示される。すなわち、情報に対応する数値の変化に伴ってバーグラフ表示の長さが変化した場合には、その変化に追従して読取値の表示位置も変化する。このため、情報に対応する数値が変化したことを視覚的に捉えやすく、その変化に対する意識を高めさせることが可能となる。
【００１０】
また、前記バーグラフ表示される情報は車両の作動態様の調整レベルを示す情報であり、前記読取値は調整レベルを示す数値としても良い。これによれば、調整レベルを示すバーグラフを読み取るための数値がバーグラフ表示用セグメントに重ねて表示される。このため、特に、一画面内に多数の情報が表示される場合には、良好な視認性が維持された状態で一度に多数の調整レベルを確認できるので、調整レベルの確認作業の効率化が図られる。
【００１１】
また、本発明の車両用表示装置は産業車両に搭載しても良い。これによれば、車両用表示装置によって産業車両の運転者の視界が狭められることを抑制し得る。
【発明の効果】
【００１２】
本発明によれば、表示画面の大型化を抑制し、視認性を良好としたバーグラフ表示を行うことができる。
【発明を実施するための最良の形態】
【００１３】
以下、本発明の車両用表示装置をリーチ式フォークリフト（以下、単に「フォークリフト」と示す）が備える車両用表示装置（以下、単に「表示装置」と示す）に具体化した一実施形態を図１〜図６にしたがって説明する。以下の説明において「前」「後」「左」「右」「上」「下」は、フォークリフトの運転者がフォークリフトの前方（前進方向）を向いた状態を基準とした場合の「前」「後」「左」「右」「上」「下」を示すものとする。
【００１４】
図１に示すように、産業車両としてのフォークリフト１１の車体１２には、左右一対のリーチレグ１３（図１では左方のリーチレグ１３のみ図示）が前方に向かって延設されている。各リーチレグ１３の前方にはそれぞれ前輪１４（図１では左方の前輪１４のみ図示）が設けられている。一方、車体１２の後方には、操舵駆動輪を兼ねた後輪１６とキャスタホイール（図示せず）が配設されている。また、車体１２の前方には、各リーチレグ１３に沿ってリーチシリンダ（図示しない）の駆動により前後動作するマスト１７が立設されている。マスト１７の前面側には、左右一対のフォーク２０（図１では左方のフォーク２０のみ図示）がリフトブラケット２１を介して設けられている。そして、フォーク２０は、マスト１７に沿って上下に昇降するようになっている。また、車体１２の後部には、立席タイプの運転室２４が設けられている。運転室２４内のステアリングテーブル２５には、前記後輪１６の操舵操作を行うステアリングハンドル２６が設けられている。
【００１５】
図２に示すように、運転室２４内のインストルメントパネル２９にはマスト１７の動作を操作する複数本の操作レバー２８が設けられている。そして、操作レバー２８の操作により、マスト１７の前後動操作及びマスト１７に沿ったフォーク２０の昇降動操作が可能となっている。
【００１６】
また、インストルメントパネル２９には、フルドット液晶からなる表示画面Ｄを備えた表示装置３０が配設されている。表示画面Ｄは、横長長方形状に形成されている。表示装置３０（表示画面Ｄ）は、フォークリフト１１のチューニング（車両を良好に作動させるように調整する作業）時にはチューニング項目やチューニングの設定レベル（調整レベル）を表示し、フォークリフト１１の運転時には運転者に知らせるべき情報（例えば、車速や各種警告）を表示するものである。表示装置３０はインストルメントパネル２９上にコンパクトに設けられている。また、表示装置３０は、運転室２４に入った作業者の視線よりも低い位置に配置されている。これは、運転室２４からの作業者の視野を広く確保し、表示装置３０がマスト１７及びフォーク２０の視認の妨げとならないようにするためである。また、表示装置３０は、車体１２内に設けられた制御ユニット（制御手段）ＣＵに接続されており、制御ユニットＣＵによって表示装置３０の表示内容が制御される。
【００１７】
また、上記構成のフォークリフト１１は、前記チューニングによってフォークリフト１１の各種作動が行われるようになっている。本実施形態のフォークリフト１１では、前記チューニング項目が複数種類（本実施形態では予備を含めた１５種類）設定されている。チューニング項目としては、例えば、図３に示すように、「走行パワー」を設定する項目や「車速リミッター」を設定する項目がある。そして、図３に示すように、各チューニング項目には、それぞれ番号（チューニングＮｏ．）が対応付けられている。例えば、「走行パワー」を設定するチューニング項目には番号１（チューニングＮｏ．１）が対応付けられ、「荷役パワー」を設定するチューニング項目には番号２（チューニングＮｏ．２）が対応付けられている。そして、本実施形態において各チューニング項目は、その設定レベル（大小、低速高速）が予め８段階に分けられている。なお、各チューニング項目には、初期設定レベルが予め決められている。
【００１８】
次に、本実施形態のフォークリフト１１にてチューニングを行う際に表示装置３０の表示画面Ｄに表示される内容を図４に基づき詳細に説明する。
表示画面Ｄには、その一方（左方）の短辺側に現在表示されている画面がチューニング（ＴＵＮＩＮＧ）を行うための画面であること示す「ＴＵＮＥ」の文字が表示されている。表示画面Ｄにおいて前記「ＴＵＮＥ」の文字表示の右側には、チューニング項目の番号を示す番号表示Ｎが５つ表示されている。すなわち、本実施形態の表示画面Ｄには、一画面内に５つのチューニング項目が表示されるようになっている。また、本実施形態の表示画面Ｄでは、例えば、「チューニングＮｏ．１」に対応して「Ｎｏ．１」からなる番号表示Ｎを表示し、「チューニングＮｏ．２」に対応して「Ｎｏ．２」からなる番号表示Ｎを表示するようになっている。
【００１９】
また、表示画面Ｄには、各番号表示Ｎの右側にバーグラフ表示領域としてのバーグラフ表示部４０が設けられている。すなわち、表示画面Ｄには、５つの番号表示Ｎ（５つのチューニング項目）に対応して５つのバーグラフ表示部４０が設けられている。そして、各バーグラフ表示部４０は、複数（本実施形態では８つ）のバーグラフ表示用セグメントＳを配列して構成されている。８つのバーグラフ表示用セグメントＳは、表示画面Ｄの長辺方向（バーグラフ表示部４０に表示されるバーグラフＢの伸長方向）に沿って配列されている。本実施形態の各チューニング項目は、前述のように設定レベルが８段階に分けられているので、その段階数に対応して８つのバーグラフ表示用セグメントＳが配列されている。すなわち、１段階の設定レベルが１つのバーグラフ表示用セグメントＳに対応している。
【００２０】
そして、バーグラフ表示部４０には、バーグラフ表示用セグメントＳが点灯表示されることにより、バーグラフＢが表示されるようになっている。点灯表示とは、ランプなどの発光体が灯されたかのように表示されることである。なお、図４〜図６では、点灯表示されたバーグラフ表示用セグメントＳを黒塗りで示し、点灯表示されていないバーグラフ表示用セグメントＳを白塗りで示している。本実施形態では、点灯表示が、バーグラフ表示用セグメントにおける予め定めたグラフ形成表示態様となる。
【００２１】
また、バーグラフ表示部４０は、該バーグラフ表示部４０の左端に配設されたバーグラフ表示用セグメントＳをバーグラフＢの始端としている。また、バーグラフ表示部４０は、前記始端のバーグラフ表示用セグメントＳからバーグラフ表示部４０の右側へ向かってバーグラフ表示用セグメントＳが点灯表示されるようになっている。すなわち、バーグラフ表示部４０において、８つのバーグラフ表示用セグメントＳは始端のバーグラフ表示用セグメントＳからバーグラフ表示部４０の右側へ向かって１個ずつ点灯表示されていき、右端のバーグラフ表示用セグメントＳが点灯表示されたら、始端のバーグラフ表示用セグメントＳが点灯表示される構成とされている。
【００２２】
そして、バーグラフ表示部４０には、チューニング項目の設定レベルに応じた数のバーグラフ表示用セグメントＳが点灯表示され、該設定レベルの大きさがバーグラフＢによって表示されるようになっている。例えば、設定レベルが「３」の場合には、始端から数えて３つ目までのバーグラフ表示用セグメントＳが点灯表示され、その３つのバーグラフ表示用セグメントＳによるバーグラフＢがバーグラフ表示部４０に表示される。すなわち、バーグラフ表示部４０には、チューニング項目（車両に関する情報）が設定レベルにより数値化されてバーグラフＢとして表示される。
【００２３】
また、バーグラフ表示部４０において、バーグラフＢの先頭で点灯表示されるバーグラフ表示用セグメントＳには、チューニング項目の設定レベルが数字Ｈによって表示されるようになっている。バーグラフＢの先頭で点灯表示されるバーグラフ表示用セグメントＳは、複数のバーグラフ表示用セグメントＳのうち、バーグラフＢの伸長方向先頭に位置するバーグラフ表示用セグメントＳである。この数字Ｈは、バーグラフ表示部４０に表示されたバーグラフＢを形成するバーグラフ表示用セグメントＳの点灯表示個数（すなわち、チューニング項目の設定レベルの数値）と一致し、バーグラフＢを読み取るための読取値となる。
【００２４】
このように本実施形態の表示装置３０では、前記数字Ｈが、バーグラフ表示部４０を構成するバーグラフ表示用セグメントＳに重ねて表示される。すなわち、バーグラフ表示部４０は、該バーグラフ表示部４０に表示されたバーグラフＢを読み取るための構成（チューニング項目の設定レベルを読み取るための構成）を備え、バーグラフＢの表示領域と該バーグラフＢの読取値の表示領域とを兼用している。そして、本実施形態の表示装置３０は、数字Ｈの表示位置が、バーグラフ表示用セグメントＳの点灯個数の増加に追従して変化する構成（設定レベルの増加（又は減少）に追従して変化する構成）とされている。すなわち、数字Ｈは、バーグラフＢを形成するバーグラフ表示用セグメントＳの先頭に常に表示される。
【００２５】
また、表示画面Ｄにおいて最下列のバーグラフ表示部４０の下側には、チューニングを行う際の操作ガイダンスを表示する第１ガイダンス部４１と第２ガイダンス部４２の表示領域が定められている。第１ガイダンス部４１は横長長方形状をなしている。そして、この第１ガイダンス部４１の左側であって、前記番号表示Ｎの下側となる位置には、下方を指す矢印Ｙが表示されている。また、第１ガイダンス部４１の右側であって、前記バーグラフ表示部４０の下側となる位置には、左側から右側に向かって段階的に先細となるレベルメータＭが表示されている。さらに、第２ガイダンス部４２には、「ＮＥＸＴ」の文字が表示されている。そして、表示画面Ｄには、前記「ＴＵＮＥ」の文字と、５つの番号表示Ｎ及びバーグラフ表示部４０と、第１及び第２ガイダンス部４１，４２が表示されている。
【００２６】
また、表示装置３０において、前記表示画面Ｄの下側であって、前記第１ガイダンス部４１の矢印Ｙの下側には選択キー３１が配設されている。この選択キー３１は、表示画面Ｄ中に表示された番号表示Ｎの中からチューニングを行う項目（番号表示Ｎ）を選択するために設けられている。そして、第１ガイダンス部４１では、矢印Ｙの表示により、選択キー３１の操作によって選択カーソルが下方へ移動することをガイダンス（表示説明）している。
【００２７】
また、表示画面Ｄの下側であって、前記第１ガイダンス部４１のレベルメータＭの下側にはレベル調整キー３２が配設されている。このレベル調整キー３２は、設定レベルを変更するために設けられている。そして、第１ガイダンス部４１では、レベルメータＭの表示により、レベル調整キー３２の操作によってバーグラフＢが伸長方向に長くなる（すなわち、設定レベルが１上がる）ことをガイダンス（表示説明）している。
【００２８】
また、表示画面Ｄの下側であって、前記第２ガイダンス部４２の下側には次頁キー３３が配設されている。この次頁キー３３は、表示画面Ｄの表示内容を次頁の表示内容へ変更するために設けられている。次頁キー３３を操作することにより、表示画面Ｄでは、次の５つのチューニング項目に対応する番号表示Ｎが表示されるようになっている。そして、第２ガイダンス部４２では、「ＮＥＸＴ」の表示により、次頁キー３３の操作によってチューニング項目が次の５項目に先送りされることをガイダンス（表示説明）している。そして、選択キー３１、レベル調整キー３２及び次頁キー３３を操作してチューニング項目の設定レベルが調整される。
【００２９】
次に、上記構成の表示装置３０の動作について説明する。
以下の説明では、図４に示すように表示画面Ｄに図３の一覧表における「チューニングＮｏ．１」〜「チューニングＮｏ．５」の５項目が表示され、チューニングＮｏ．１の設定レベルを調整する場合を例にして説明する。なお、調整前の設定レベルを「３」とし、調整後の設定レベルを「５」とする。
【００３０】
調整前の表示画面Ｄにおいて「チューニングＮｏ．１（番号表示Ｎが「Ｎｏ．１」）」に対応するバーグラフ表示部４０では、３つのバーグラフ表示用セグメントＳが点灯表示されている。そして、バーグラフ表示用セグメントＳの点灯表示によって表示されるバーグラフＢの先頭（始端から数えて３番目のバーグラフ表示用セグメントＳ）には、設定レベル「３」を示す数字Ｈがバーグラフ表示用セグメントＳ中に表示されている。
【００３１】
この状態で、レベル調整キー３２を１回操作すると、その操作信号が制御ユニットＣＵに送信され、該制御ユニットＣＵはチューニングＮｏ．１に対応する設定レベルの値を「３」に１加算して「４」に変更する。そして、制御ユニットＣＵは、変更後の設定レベルの表示を指示する表示信号を表示装置３０に送信する。表示信号を受信した表示装置３０では、図５に示すように表示画面Ｄの表示内容が書き換えられる。すなわち、表示画面Ｄ（チューニングＮｏ．１に対応するバーグラフ表示部４０）では、バーグラフ表示用セグメントＳの点灯表示個数が「３」から「４」に変更され、４つのバーグラフ表示用セグメントＳからなるバーグラフＢが表示される。加えて、バーグラフＢの先頭（始端から数えて４番目のバーグラフ表示用セグメントＳ）には、バーグラフＢの伸長に追従して設定レベル「４」を示す数字Ｈがバーグラフ表示用セグメントＳ中に表示される。
【００３２】
続いて、レベル調整キー３２をさらに１回操作すると、前述同様に制御ユニットＣＵは設定レベルを「５」に変更し、表示信号を表示装置３０に送信する。そして、表示信号を受信した表示装置３０では、図６に示すように表示画面Ｄの表示内容が書き換えられる。すなわち、表示画面Ｄ（チューニングＮｏ．１に対応するバーグラフ表示部４０）では、バーグラフ表示用セグメントＳの点灯表示個数が「４」から「５」に変更され、５つのバーグラフ表示用セグメントＳからなるバーグラフＢが表示される。加えて、バーグラフＢの先頭（始端から数えて５番目のバーグラフ表示用セグメントＳ）には、バーグラフＢの伸長に追従して設定レベル「５」を示す数字Ｈがバーグラフ表示用セグメントＳ中に表示される。
【００３３】
また、各チューニング項目の設定レベルを確認する際には、表示画面Ｄにチューニングを行うための画面（例えば、図４に示す画面）を表示させる。そして、前記画面を表示させると、表示画面Ｄには、各チューニング項目に対応するバーグラフ表示部４０に各設定レベルに応じたバーグラフＢが表示されるとともに、各バーグラフＢの先頭に数字Ｈが表示される。このため、作業者は、各チューニング項目の設定レベルを確認する際、バーグラフＢを形成するバーグラフ表示用セグメントＳの点灯表示個数を数えなくても、各バーグラフＢの先頭に表示された数字Ｈから各チューニング項目の設定レベルを確認し得る。
【００３４】
上記実施形態によれば、以下のような効果を得ることができる。
（１）バーグラフＢによって示されるチューニング項目の設定レベル（数字Ｈ）は、バーグラフ表示部４０を構成するバーグラフ表示用セグメントＳに重ねて表示される。このため、バーグラフ表示部４０とは別に設定レベルを表示する表示領域を表示画面Ｄ内に設ける必要がない。このため、表示画面Ｄには、バーグラフ表示部４０（バーグラフ表示用セグメントＳ）のみを設ければ良く、表示画面Ｄの大型化が抑制される。また、バーグラフ表示部４０には、バーグラフＢと設定レベル（数値Ｈ）とが一対一の関係（１項目に対して１つの数値）で表示される。このため、視認性を良好としたバーグラフＢの表示を行うことができる。すなわち、読み間違いが起こり難い表示を行うことができる。
【００３５】
（２）また、バーグラフＢによって示されるチューニング項目の設定レベルをバーグラフ表示部４０のバーグラフ表示用セグメントＳに重ねて表示することで、表示画面Ｄを大きくすることなく一画面内に多数のバーグラフＢを表示させることができる。すなわち、一画面内に多数の情報を表示させることができる。また、多数のチューニング項目を表示させる場合において、表示装置３０を大きくする必要がないので、表示装置３０の製造コスト増を抑制できる。その結果として、フォークリフト１１の製造コスト増も抑制できる。
【００３６】
（３）また、フォークリフト１１では、運転中の運転者が表示装置３０の表示内容を見る機会が少なく、マスト１７及びフォーク２０の動作（荷役具の動作）を見やすくするために運転者の視界を広くした車両構造が望まれる。一方で、チューニング時には、チューニング項目が多数項目（本実施形態のフォークリフト１１では説明の便宜上１５項目としたが、６０項目や９０項目に亘る場合もある）存在するので、一画面内に多数のチューニング項目を表示させて作業効率の向上を図った車両構造が望まれる。したがって、本実施形態の表示装置３０は、視覚を広げる目的で表示装置３０（表示画面Ｄ）の大型化を抑制し、チューニング作業の効率を向上させる目的で一画面内に視認性を維持した状態で多数のチューニング項目を表示しており、フォークリフト１１に搭載する表示装置３０として適している。
【００３７】
（４）また、チューニング作業を行い易くするために、本実施形態の表示装置３０のように表示画面Ｄ内に操作ガイダンスを表示させる場合がある。この操作ガイダンスを表示画面Ｄの大きさを変更しない前提で表示した場合には、表示画面Ｄにおいてチューニング項目を表示可能な領域は小さくなる。このような場合でも、本実施形態のようにチューニング項目の設定レベルをバーグラフ表示用セグメントＳに重ねて表示すれば、限られた表示領域に多数のチューニング項目を表示させることができる。
【００３８】
（５）数字Ｈを、バーグラフＢの伸長方向先頭に位置するバーグラフ表示用セグメントに常に表示させている。すなわち、バーグラフＢの変化（設定レベルの変化）に追従させて数字Ｈの表示位置を変化させている。このため、設定レベルが変化したこと（設定レベルが変更されたこと）を視覚的に捉えやすく、その変化に対する意識を高めさせることができる。
【００３９】
（６）数字Ｈを、バーグラフＢを形成するバーグラフ表示用セグメントＳに重ねて表示させている。このため、チューニング作業時にバーグラフＢに注視する作業者の視覚に数字Ｈも同時に捉えさせることができ、チューニング作業の効率化を図ることができる。
【００４０】
なお、上記実施形態は以下のように変更してもよい。
○  実施形態において、表示装置３０にフォークリフト１１の車速等の情報をバーグラフＢで表示させても良い。この場合、車速を示す数値をバーグラフ表示用セグメントＳに重ねて表示させる。
【００４１】
○  実施形態では、表示装置３０を備えた産業車両としてフォークリフト１１に具体化したが、表示装置３０を備えた産業車両としてトーイングトラクタ、コンバイン、建設機械等に具体化してもよい。
【００４２】
○  実施形態において、図７に示すように、数字Ｈを、バーグラフ表示部４０を構成するバーグラフ表示用セグメントＳのうち、最も右端のバーグラフ表示用セグメントＳに固定的に表示させてもよい。この場合、数字Ｈの表示位置は固定され、バーグラフＢの変化（設定レベルの変化）に追従して数字Ｈのみが変化する。
【００４３】
○  実施形態において、図８に示すように、数字Ｈを、バーグラフ表示部４０を構成するバーグラフ表示用セグメントＳのうち、最も左端のバーグラフ表示用セグメントＳ（バーグラフＢの始端となるバーグラフ表示用セグメントＳ）に固定的に表示させてもよい。この場合、数字ＨがバーグラフＢの始端側に表示されることで、一画面内に多数のチューニング項目を表示させる場合において数字Ｈが読み取り易くなる。すなわち、バーグラフＢは、各設定レベルに応じて長さが異なるものである。このため、バーグラフＢの始端側に数字Ｈを表示させれば、一画面内のバーグラフＢの長さが不揃いであっても、数字Ｈを読み取る作業者の目線移動量が抑えられ、読み取り易くなる。
【００４４】
○  実施形態において、１つのバーグラフ表示部４０を構成するバーグラフ表示用セグメントＳの数を変更しても良い。すなわち、実施形態で示したバーグラフ表示用セグメントＳの数に対して増減させても良い。なお、バーグラフ表示用セグメントＳの数は、チューニング項目の設定レベルの段階数に応じて決定される。また、一画面内に表示されるチューニング項目毎にバーグラフ表示部４０を構成するバーグラフ表示用セグメントＳの数を異ならせても良い。
【００４５】
○  実施形態において、バーグラフＢの伸長方向は表示画面Ｄの左から右に向かう方向としたが、番号表示Ｎを右側に配置し、バーグラフＢの伸長方向を表示画面Ｄの右から左に向かう方向としても良い。また、番号表示Ｎを左右方向に配列し、バーグラフＢの伸長方向を表示画面Ｄの上から下に向かう方向又は下から上に向かう方向としても良い。
【００４６】
○  実施形態において、表示画面Ｄをセグメント液晶製としてもよい。
○  実施形態において、第１及び第２ガイダンス部４１，４２を表示画面Ｄから省略しても良い。
【００４７】
○  実施形態では、点灯表示されたバーグラフ表示用セグメントＳによりバーグラフＢが形成されているが、消灯表示されたバーグラフ表示用セグメントＳによりバーグラフＢを形成しても良い。この場合、消灯表示が、バーグラフ表示用セグメントＳにおけるグラフ形成表示態様となる。
【図面の簡単な説明】
【００４８】
【図１】実施形態のフォークリフトを示す側面図。
【図２】実施形態の車両用表示装置を示す部分斜視図。
【図３】チューニング項目と番号を対応付けた一覧表の一部を示す図。
【図４】実施形態の表示画面の使用例を示す図。
【図５】実施形態の表示画面の使用例を示す図。
【図６】実施形態の表示画面の使用例を示す図。
【図７】別例の表示画面を示す図。
【図８】別例の表示画面を示す図。
【符号の説明】
【００４９】
Ｂ…バーグラフ、Ｄ…表示画面、Ｓ…バーグラフ表示用セグメント、１１…産業車両としてのフォークリフト、３０…車両用表示装置、４０…バーグラフ表示領域としてのバーグラフ表示部。
【図１】
2006281991.tif 000003
【図２】
2006281991.tif 000004
【図３】
2006281991.tif 000005
【図４】
2006281991.tif 000006
【図５】
2006281991.tif 000007
【図６】
2006281991.tif 000008
【図７】
2006281991.tif 000009
【図８】
2006281991.tif 000010